(57)【要約】【課題】ラックに搭載されるサーバは、ラック前面から床上の風を吸い込み、後面に温かい風を排出する。この為、他のラックが温かい風を再び吸い込まないようにする必要がある。本発明が解決しようとする課題は、天井付近の熱溜りをサーバラックが吸込むことを解消する手段を低コストで提供することにある。【解決手段】複数のラックマウントサーバのラック（以下、ラック）は入気面同士および排気面同士が向き合うように複数列に配置され、入気面側には各ラックに取り込む冷風の通路が形成され、排気面側には各ラックから排出する温風の通路が形成され、各ラックの上部に前記冷風通路と前記温風通路を遮断する風向板を取り付ける。【選択図】図２
2010026549.tif 000002
【特許請求の範囲】
【請求項１】
計算機室に設置される複数のラックマウントサーバの冷却方式であって、前記複数のラックマウントサーバのラック（以下、ラック）は入気面同士および排気面同士が向き合うように複数列に配置され、入気面側には各ラックに取り込む冷風の通路が形成され、排気面側には各ラックから排出する温風の通路が形成され、各ラックの上部に前記冷風通路と前記温風通路を遮断する風向板を取り付けることを特徴とするラックマウントサーバ冷却方式。
【請求項２】
前記風向板は遮断面が水平方向であることを特徴とする請求項１記載のラックマウントサーバ冷却方式。
【請求項３】
前記風向板は遮断面が垂直方向であることを特徴とする請求項１記載のラックマウントサーバ冷却方式。
【請求項４】
前記冷風通路には空調機からの冷風が床下から供給されることを特徴とする請求項１記載のラックマウントサーバ冷却方式。
【請求項５】
各ラックの風向板は他のラックの風向板と分離されていることを特徴とする請求項２記載のラックマウントサーバ冷却方式。
【発明の詳細な説明】
【技術分野】
【０００１】
本発明は計算機室の空調システム技術に関する。
【背景技術】
【０００２】
従来、フリーアクセスを使用した二重床の計算機室に設置される計算機は大型計算機が主流であったが近年ラックマウントサーバが主流となっている。大型計算機は空調機からの冷気を直接床下から取り込む方式を採用しており、安定した冷気を吸い込む事が出来た。一方、ラックに搭載されるサーバは、ラック前面から床上の風を吸い込み、後面に温かい風を排出する方式が採用されている。
【０００３】
【特許文献１】特表２００８−５０２０８２号
【発明の開示】
【発明が解決しようとする課題】
【０００４】
現在、ラックマウントサーバに対して多くの計算機室で適用されているラックの並びは、入気面（前面）は入気面同士、排気面（後面）は排気面同士が向きあうようになっている。これは、入気面は空調機からの冷たい風を、排気面はサーバから排出される温かい風を集中させる為である。以後、冷たい風が集中する通路をＣｏｌｄ  Ａｉｓｌｅ、温かい風が集中する通路をＨｏｔ  Ａｉｓｌｅと呼ぶ。Ｃｏｌｄ  ＡｉｓｌｅとＨｏｔ  Ａｉｓｌｅを設ける事によって、ラックの入気面は安定した冷たい風が供給される。しかし、発熱量の大きいブレードサーバを設置している計算機室では、Ｈｏｔ  Ａｉｓｌｅ側の温かい風が天井付近に熱溜りとなって滞留し、Ｃｏｌｄ  Ａｉｓｌｅ側に周り込むという事態に陥っている。その結果、ラックが高温の風を吸い込み温度異常等の障害を発生する場合がある。
【０００５】
本発明が解決しようとする課題は、天井付近の熱溜りをサーバラックが吸込むことを解消する手段を低コストで提供することにある。
【課題を解決するための手段】
【０００６】
計算機室に設置される複数のラックマウントサーバの冷却方式であって、前記複数のラックマウントサーバのラック（以下、ラック）は入気面同士および排気面同士が向き合うように複数列に配置され、入気面側には各ラックに取り込む冷風の通路が形成され、排気面側には各ラックから排出する温風の通路が形成され、各ラックの上部に前記冷風通路と前記温風通路を遮断する風向板を取り付ける。
【発明の効果】
【０００７】
ラック前面から床上の冷風を吸い込むサーバに対して、冷風を低コストで安定供給できる。
【発明を実施するための最良の形態】
【０００８】
以下、図面に従って本発明係るラック取り付け型風向板について説明する。
【０００９】
図１にラック取り付け型風向板Ａ１５を適用する前の例を示す。図１は、フリーアクセス１１を有した計算機室１０の例を示している。空調機１４から床下に吹出した冷風は、グリル板１３を介して床上に吹出す。床上に吹出した冷風は、サーバラック１２の前面側（入気側）に供給されサーバラック１２に取り込まれる。サーバラック１２で温められた風はサーバラック１２の後面から排出される。排出された温かい風は、天井付近に熱溜りとして滞留し、一部は空調機１４に戻り、一部は、サーバラック１２の前面側（入気側）に取り込まれる。この為、サーバラック１２は、温度異常などの障害を発するという問題がある。本発明の課題は、天井付近の熱溜りをサーバラック１２が吸込込む事を解消する事である。
【００１０】
図２にラック取り付け型風向板Ａ１５の実施例を示す。図２は、フリーアクセス１１を有した計算機室１０の例を示している。サーバラック１２の後面から排出された温かい風は、熱溜りとなって計算機室１０の天井付近に存在する。サーバラック１２の前面には冷風を供給する必要がある為、天井付近の熱溜りをサーバラック１２が吸込まなくする為にサーバラック１２の前面上部にラック取り付け型風向板１５を取り付ける。これにより、サーバラック１２には天井付近の熱溜りが流入しない。また、冷気をＣｏｌｄ  Ａｉｓｌｅ側に閉じ込める事ができるので、サーバラック１２にはグリル板１３から供給される冷風のみが提供され、サーバラック１２の安定稼動が可能となる効果がある。ラック取り付け型風向板１５は１台のサーバラック１２に１個取り付けている。
【００１１】
図３にラック取り付け型風向板Ａ１５の形状を変えたラック取り付け型風向板Ｂ１６を適用した例を示す。効果、利点については、０００９項に記した内容と同じである。
【００１２】
図４にラック取り付け型風向板Ａ１５の構成例を示す。ラック取り付け型風向板Ａ１５は、ラック取り付け型風向板Ａ１５本体とネジ１７で構成される。ラック取り付け型風向板Ａ１５本体の寸法は、ツバの幅が１００〜２，０００ｍｍ、高さは０〜１，０００ｍｍ、ベース部分の幅が１００〜１，５００ｍｍ、奥行が１００〜１，０００ｍｍである。なお、ラック取り付け型風向板Ａ１５本体には、固定用の穴１８が開いている。
【００１３】
図５にラック取り付け型風向板Ｂ１６の構成例を示す。ラック取り付け型風向板Ｂ１６は、ラック取り付け型風向板Ｂ１６本体とネジ１７で構成される。ラック取り付け型風向板Ｂ１６本体の寸法は、ツバの高さが０〜１，０００ｍｍ、ベース部分の幅が１００〜１，５００ｍｍ、奥行が１００〜１，０００ｍｍである。なお、ラック取り付け型風向板Ｂ１６本体には、固定用の穴１８が開いている。
【図面の簡単な説明】
【００１４】
【図１】ラック取り付け型風向板Ａ、Ｂを計算機室に適用する前の例を示す図である。
【図２】ラック取り付け型風向板Ａを適用した例を示す図である。
【図３】ラック取り付け型風向板Ｂを適用した例を示す図である。
【図４】ラック取り付け型風向板Ａの構成例を示す図である。
【図５】ラック取り付け型風向板Ｂの構成例を示す図である。
【符号の説明】
【００１５】
１０  計算機室
１１  フリーアクセス
１２  サーバラック
１３  空調用グリル板
１４  空調機
１５  ラック取り付け型風向板Ａ
１６  ラック取り付け型風向板Ｂ
１７  ネジ
１８  固定用穴
【図１】
2010026549.tif 000003
【図２】
2010026549.tif 000004
【図３】
2010026549.tif 000005
【図４】
2010026549.tif 000006
【図５】
2010026549.tif 000007